(57)【要約】【課題】取り付けの作業性が良い車載表示装置を提供する。【解決手段】本発明に係る車載表示装置１は、メッセージを表示する電光表示器１０と、前記電光表示器１０に結合された支持アーム３０と、前記支持アーム３０に結合され、粘着体５１及び吸着体の少なくとも一方を有する取付部５０と、を備え、前記電光表示器１０及び取付部５０の少なくとも一方が前記支持アーム３０に着脱自在に結合されていることを特徴とする。【選択図】図１
2008238865.tif 000002
【特許請求の範囲】
【請求項１】
メッセージを表示する電光表示器と、
前記電光表示器に結合された支持アームと、
前記支持アームに結合され、粘着体及び吸着体の少なくとも一方を有する取付部と、を備え、
前記電光表示器及び取付部の少なくとも一方が前記支持アームに着脱自在に結合されていることを特徴とする、車載表示装置。
【請求項２】
前記電光表示器は、前記支持アームが着脱可能に結合される複数の被結合部を有することを特徴とする、請求項１に記載の車載表示装置。
【請求項３】
前記支持アームは、前記電光表示器及び取付部の少なくとも一方に対して角度調整自在に結合されていることを特徴とする、請求項１又は２に記載の車載表示装置。
【請求項４】
前記支持アームは、フレキシブルアームによって構成されていることを特徴とする、請求項１から３のいずれかに記載の車載表示装置。
【請求項５】
前記支持アームは、少なくとも１つの自在継手を備えることを特徴とする、請求項１から３のいずれかに記載の車載表示装置。
【発明の詳細な説明】
【技術分野】
【０００１】
本発明は、各種メッセージを他の車両の運転者や歩行者等に伝えるために、自動車内の所望の位置に取り付けて使用される車載表示装置に関する。
【背景技術】
【０００２】
従来、各種メッセージを他の車両の運転者や歩行者等に伝えるために、自動車内の所望の位置に取り付けて使用される車載表示装置が種々提案されている。例えば、この種の車載表示装置である特許文献１の自動車用メッセージ表示器は、表示装置本体に連結された支持アームを備えており、この支持アームに設けられた吸盤を取付面に吸着させることによって取り付けられるようになっている。
【特許文献１】特開平９−３０１０５８号公報
【発明の開示】
【発明が解決しようとする課題】
【０００３】
そのため、特許文献１の車載表示装置を取り付ける際には、作業者が表示装置本体を支持しつつ吸盤の取付面への吸着作業を行わなければならず、作業性が悪いという問題があった。特に、このような車載表示装置は、使用者の運転時の視界を極力妨げないように、バックミラーの裏側や、フロントガラスとダッシュボードとの間の前方の狭い空間に取り付けられる場合が多く、この場合には、表示装置本体が取付作業の邪魔にもなり、このような問題が顕著であった。
【０００４】
本発明は、上記問題を解決するためになされたものであり、取り付けの作業性が良い車載表示装置を提供することを目的とする。
【課題を解決するための手段】
【０００５】
本発明に係る車載表示装置は、メッセージを表示する電光表示器と、前記電光表示器に結合された支持アームと、前記支持アームに結合され、粘着体及び吸着体の少なくとも一方を有する取付部と、を備え、前記電光表示器及び取付部の少なくとも一方が前記支持アームに着脱自在に結合されていることを特徴とする。
【０００６】
上記車載表示装置において、前記電光表示器は、前記支持アームが着脱可能に結合される複数の被結合部を有していることが好ましい。
【０００７】
また、前記支持アームは、前記電光表示器及び取付部の少なくとも一方に対して角度調整自在に結合されていることが好ましい。
【０００８】
さらに、上記車載表示装置において、前記支持アームは、フレキシブルアームによって構成してもよく、また、少なくとも１つの自在継手を備えていてもよい。
【発明の効果】
【０００９】
本発明の車載表示装置によれば、電光表示器及び取付部の少なくとも一方が支持アームに着脱自在に結合されているため、車載表示装置の車内への取り付けの作業性が良い。
【００１０】
すなわち、例えば、電光表示器及び取付部が支持アームに対してそれぞれ着脱自在に結合されている場合は、これらを支持アームから分離し、取付部を取付面に取り付けた後、支持アーム、電光表示器をこの順で再び結合して取り付けていくことができる。そのため、従来例のように、取付作業者が表示装置本体（電光表示器）を支持しつつ取付作業を行う必要がないので、作業性が良い。また、このように電光表示器を最後に取り付けることができるので、特に、バックミラーの裏側や、フロントガラスとダッシュボードとの間の前方の狭い空間に車載表示装置を取り付ける場合には、取付部及び支持アームの取り付け作業時に電光表示器が邪魔になることがなく、作業性の向上が顕著となる。
【００１１】
また、電光表示器及び取付部のいずれか一方のみが支持アームに着脱自在に結合されている場合であっても、電光表示器を最後に取り付けることができるため、作業性を良好にするという同様の効果を得ることができる。
【００１２】
また、本発明の車載表示装置の取付部は、粘着体及び吸着体の少なくとも一方を有しており、これによって取付面に取り付け可能であるため、その取り付けは非常に容易である。
【００１３】
本発明の車載表示装置において、電光表示器が、支持アームを着脱自在に結合する複数の被結合部を有するように構成すると、車載表示装置の取り付けの自由度が大きくなる。例えば、電光表示器の上面及び下面に被結合部を設けた場合は、車載表示装置の所望の取り付け形態によって、支持アームによって電光表示器を上方から吊り下げ支持したり、下方から支持したりすることが選択可能となる。
【００１４】
また、支持アームを、前記電光表示器及び取付部の少なくとも一方に対して角度調整自在に結合するように構成すると、取付面の角度に関係なく、電光表示器を所望の位置及び方向にすることができる。また、支持アームをフレキシブルアームによって構成した場合も同様の効果を得ることができ、支持アームが少なくとも１つの自在継手を備えるように構成した場合も同様である。
【発明を実施するための最良の形態】
【００１５】
以下、本発明に係る車載表示装置の一実施形態について図面を参照しつつ説明する。図１は、本実施形態に係る車載表示装置の斜視図である。
【００１６】
本実施形態に係る車載表示装置は、自動車内のダッシュボードやフロントガラス、リアガラス等の所望の位置に取り付け、各種メッセージを電光表示させて他の車両の運転者や歩行者に伝えるためのものである。
【００１７】
図１に示すように、この車載表示装置１は、各種メッセージを電光表示する電光表示器１０と、これを支持するための支持アーム３０と、この支持アーム３０を所望の位置に取り付けるための取付部５０とを備えている。
【００１８】
電光表示器１０は、箱形のハウジング１１を有しており、ハウジング１１の前面１１ａには、図１に示すように例えばハート形状や「Thanks」等の各種メッセージを表示するように複数の発光ダイオード等のランプ１３が配置されている。ランプ１３は、この表示装置１とは別に設けられた有線又は無線の制御装置（図示せず）により、点灯・消灯等を遠隔操作可能に構成されている。また、ハウジング１１の上面１１ｂ及び下面１１ｃには、支持アーム３０が結合される被結合部１１ｄ，１１ｄがそれぞれ設けられており、この被結合部１１ｄ，１１ｄは、磁石につく性質を有する金属等で構成されている。
【００１９】
支持アーム３０は、棒状に延びるアーム本体３１と、その一端部及び他端部にそれぞれ自在継手によって連結された板状の第一の結合部材３３及び第二の結合部材３５とを備えている。この自在継手は、連結された各部材に所定以上の力がかかったときに各部材が相対的に動くように構成されているが、所定より小さい力では各部材が動かずその位置関係が維持されるように構成されている。これにより、後述するように取付作業者の手によって支持アーム３０を所望の姿勢にすることができる一方、取付作業が完了した後は、電光表示器１０を所望の位置に保持するようになっている。
【００２０】
第一の結合部材３３及び第二の結合部材３５におけるアーム本体３１が連結されている面と反対側の面には、図１に示すように、第一の磁石３４及び第二の磁石３６がそれぞれ固着して設けられている。第一の磁石３４は、磁力によって電光表示器１０の上面１１ｂ及び下面１１ｃの被結合部１１ｄ，１１ｄと選択的に、着脱自在に結合するようになっている。なお、図１では、電光表示器１０の上面１１ｂの被結合部１１ｄに結合する場合を実線で、下面１１ｃの被結合部１１ｄに結合する場合を一点差線で示している。
【００２１】
取付部５０は、磁石につく性質を有する金属板等で構成され、これにより、第二の磁石３６が磁力によって着脱自在に結合されるようになっている。
【００２２】
また、取付部５０における第二の磁石３６と結合する面と反対側の面には、両面粘着フィルム５１（粘着体）が貼り付けられており、この面が自動車内の所望の位置に貼り付けられるようになっている。
【００２３】
次に、上記のように構成された車載表示装置１の自動車内への取付手順を図２を参照しつつ説明する。図２は、車載表示装置１をバックミラーＭの裏側のフロントガラスＦに取り付ける場合の手順を示すものである。
【００２４】
この場合、図２（ａ）に示すように、まず、取付部５０を両面粘着フィルム５１によってフロントガラスＦに貼り付ける。次いで、図２（ｂ）に示すように、支持アーム３０の第二の結合部材３５を第二の磁石３６によって取付部５０に結合するとともに、自在継手によって連結されたアーム本体３１及び第一の結合部材３３を所望の姿勢となるように動かして配置する。そして、図２（ｃ）に示すように、第一の結合部材３３の第一の磁石３４によって第一の結合部材３３に、電光表示器１０の上面１１ｂの被結合部１１ｄを結合する。こうすることで、電光表示器１０が支持アーム３０によって所望の位置で保持され、車載表示装置１が吊り下げ支持された状態で取り付けられる。
【００２５】
本実施形態に係る車載表示装置１は、様々な取付形態で取り付け可能であり、例えば図３に示すように、取付部５０をダッシュボードＤに取り付け、フロントガラスＦとダッシュボードＤとの間に電光表示器１０を配置して、下方から支持するように取り付けることも可能である。この場合も、図２で説明したのと同様に、取付部５０、支持アーム３０、電光表示器１０をこの順で取り付けるが、支持アーム３０は、電光表示器１０の下面１１ｃの被結合部１１ｄと結合される。
【００２６】
また、このように車載表示装置１を下方から支持した状態で取り付ける場合、例えば図４に示すように、取付部５０をフロントガラスＦに貼り付けることもできる。
【００２７】
以上のように、本実施形態の車載表示装置１によれば、電光表示器１０及び取付部５０がそれぞれ支持アーム３０に着脱自在に結合されているため、これらを支持アーム３０から分離し、取付部５０を車内所望の取付面に取り付けた後、支持アーム３０、電光表示器１０をこの順で再び結合して取り付けていくことができる。そのため、従来例のように、取付作業者が表示装置本体（電光表示器１０）を支持しつつ取付作業を行う必要がないので、作業性が良い。また、このように電光表示器１０を最後に取り付けることができるので、特に、バックミラーＭの裏側や、フロントガラスＦとダッシュボードＤとの間といった狭い空間に車載表示装置１を取り付ける場合（図２〜４参照）には、取付部５０及び支持アーム３０の取り付け作業時に電光表示器１０が邪魔にならず、作業性の向上がより顕著となる。
【００２８】
さらに、本実施形態では、電光表示器１０及び取付部５０と支持アーム３０とが、磁力によって結合されているため、これらの着脱が容易である。また、車載表示装置１の取付部５０は、両面粘着フィルム５１によって取付面に取り付けられるため、その取り付けも容易である。
【００２９】
また、本実施形態の電光表示器１０では、上面１１ｂ及び下面１１ｃに被結合部１１ｄ，１１ｄが設けられており、例えば図２〜４に示すように所望の取付形態に応じて、支持アーム３０を結合する被結合部１１ｄ，１１ｄを選択することができるので、車載表示装置１の取り付けの自由度が大きくなっている。
【００３０】
また、支持アーム３０は、第一の結合部材３３及び第二の結合部材３５が自在継手によってそれぞれアーム本体３１に結合され、角度調整自在に構成されているので、取付面の角度に関係なく、電光表示器１を所望の位置及び方向にすることができる。
【００３１】
以上、本発明に係る車載表示装置の一実施形態について説明したが、本発明は上記実施形態に限定されるものではなく、その趣旨を逸脱しない限りにおいて種々の変更が可能である。上記実施形態では、電光表示器１０及び取付部５０が支持アーム３０に対してそれぞれ着脱自在に結合されているが、電光表示器１０及び取付部５０のいずれか一方のみが支持アームに着脱自在に結合されていてもよい。この場合であっても、電光表示器１０を最後に取り付けることができるため、作業性を良好にするという同様の効果を得ることができる。
【００３２】
着脱自在に結合する構成として、上記実施形態では、磁力によって結合する構成を例示しているが、これに限定されず、例えば、電光表示器１０及び取付部５０と支持アーム３０とを、面ファスナ等の各種係合手段によって着脱自在に結合するように構成してもよい。
【００３３】
また、電光表示器１０には、上面１１ｂ及び下面１１ｃの２箇所に被結合部１１ｄが設けられているが、これに限定されるものではなく、１箇所であっても、３箇所以上に設けられていてもよい。複数の被結合部１１ｄを設けた場合は、所望の取付形態に応じて、支持アーム３０を結合する被結合部１１ｄを選択することが可能となり、取り付けの自由度が大きくなる。
【００３４】
また、支持アーム３０は、アーム本体３１の両端と、第一の結合部材３３及び第二の結合部材３５とを自在継手によってそれぞれ結合しているが、これに限定されるものではなく、電光表示器１０及び取付部５０の少なくとも一方に対して角度調整自在に結合するように構成されていればよい。例えば、アーム本体３１の一端を固着し、他端のみを自在継手によって結合してもよい。或いは、アーム本体３１を複数に分割し、分割された部材同士をそれぞれ自在継手によって結合するように構成してもよい。
【００３５】
角度調節自在に結合する構成としては、上記のように自在継手によるものに限らず、図５に示すように、第二の結合部材３５とアーム本体３１とをボルトＢによって結合し、ボルトＢを軸にして揺動するように構成してもよい。このように構成する場合、ボルトＢを締め込むことによって第二の結合部材３５とアーム本体３１とがしっかりと固定されるようにしてもよい。ここでは、第二の結合部材３５について説明したが、第一の結合部材３３に対しても同様に構成してもよい。また、支持アーム３０は、フレキシブルアーム（図示せず）によって構成してもよい。
【００３６】
また、上記実施形態では、取付部５０が支持アーム３０と着脱自在に構成されているので、例えば、取付部５０を複数個準備してフロントガラスやリアガラス等に予め取り付けておき、電光表示器１０及び支持アーム３０を所望の取付部５０に適宜付け替えて、車載表示装置１を所望の使用形態に応じた位置で使用することもできる。
【００３７】
また、上記実施形態では、本発明の粘着体として両面粘着フィルム５１を設けているが、これに替えて、吸盤等の吸着体を設けてもよい。或いは、取付部５０にこれらを組み合わせて設けてもよい。
【００３８】
また、支持アーム３０は、図６に示すように、第二の結合部材３５及び第二の磁石３６を分割し、アーム本体３１の端部に結合された棒状部材３２を介して離間して配置するように構成してもよい。こうすることで、アーム本体３１における第二の結合部材３５側の端部を配置しようとする位置に、取付部５０（図６に図示せず）を取り付けられない場合でも、その位置を回避するように取付部５０（この場合は、２つ）を配置して支持アーム３０を取り付けることができる。
【図面の簡単な説明】
【００３９】
【図１】本発明の一実施形態に係る車載表示装置の斜視図である。
【図２】図１の車載表示装置の取付手順を説明する側面図である。
【図３】図１の車載表示装置の取付形態の一例を示す側面図である。
【図４】図１の車載表示装置の取付形態の一例を示す側面図である。
【図５】図１の車載表示装置の変形例を示す斜視図である。
【図６】図１の車載表示装置の変形例を示す斜視図である。
【符号の説明】
【００４０】
１  車載表示装置
１０  電光表示器
１１ｄ  被結合部
３０  支持アーム
３１  アーム本体
３３  第一の結合部材
３４  第一の磁石
３５  第二の結合部材
３６  第二の磁石
５０  取付部
５１  粘着体
Ｂ  ボルト
Ｆ  フロントガラス
Ｍ  バックミラー
Ｄ  ダッシュボード
【図１】
2008238865.tif 000003
【図２】
2008238865.tif 000004
【図３】
2008238865.tif 000005
【図４】
2008238865.tif 000006
【図５】
2008238865.tif 000007
【図６】
2008238865.tif 000008